【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
被測定者から測定されて第一の記憶部に記憶された生体情報を評価する生体情報評価装置であって、
複数に分割された１日の分割期間毎の生体情報の基準値を示す基準データに基づいて、前記第一の記憶部に記憶された生体情報を評価する生体情報評価部と、
前記生体情報評価部が当該生体情報の評価に用いる前記基準データを制御する基準データ制御部と、を備え、
前記基準データ制御部は、暦情報と人の属性情報の組み合わせ毎に前記基準データを記憶する第二の記憶部から、前記第一の記憶部に記憶された生体情報の測定時の暦情報と前記被測定者の属性情報との組み合わせに対応する基準データを取得し、取得した基準データを、前記生体情報評価部が当該生体情報の評価に利用する基準データとして設定する生体情報評価装置。
【請求項２】
請求項１記載の生体情報評価装置であって、
前記第二の記憶部に記憶される基準データは、複数人分の生体情報に基づいて生成されたものであり、
前記複数人分の生体情報は、当該生体情報が測定された人の属性情報及び当該生体情報の測定時の暦情報が全て同じものである生体情報評価装置。
【請求項３】
被測定者から測定されて第一の記憶部に記憶された生体情報を評価する生体情報評価装置であって、
複数に分割された１日の分割期間毎の生体情報の基準値を示す基準データに基づいて、前記第一の記憶部に記憶された生体情報を評価する生体情報評価部と、
前記生体情報評価部が当該生体情報の評価に用いる前記基準データを制御する基準データ制御部と、を備え、
前記基準データ制御部は、暦情報と人の属性情報と気温情報の組み合わせ毎に前記基準データを記憶する第二の記憶部から、前記第一の記憶部に記憶された生体情報の測定時の暦情報及び気温情報と前記被測定者の属性情報との組み合わせに対応する基準データを取得し、取得した基準データを、前記生体情報評価部が当該生体情報の評価に利用する基準データとして設定する生体情報評価装置。
【請求項４】
請求項３記載の生体情報評価装置であって、
前記第二の記憶部に記憶される基準データは、複数人分の生体情報に基づいて生成されたものであり、
前記複数人分の生体情報は、当該生体情報が測定された人の属性情報、当該生体情報の測定時の暦情報、及び、当該生体情報の測定時の気温情報が全て同じものである生体情報評価装置。
【請求項５】
被測定者から測定されて第一の記憶部に記憶された生体情報を評価する生体情報評価装置であって、
複数に分割された１日の分割期間毎の生体情報の基準値を示す基準データに基づいて、前記第一の記憶部に記憶された生体情報を評価する生体情報評価部と、
前記生体情報評価部が当該生体情報の評価に用いる前記基準データを制御する基準データ制御部と、を備え、
前記基準データ制御部は、前記被測定者から生体情報を測定する生体情報測定部により測定されて前記第一の記憶部に記憶された７日分の生体情報に基づいて曜日毎に前記基準データを生成し、前記第一の記憶部に記憶された生体情報の測定時の曜日情報に対応する前記基準データを、当該生体情報の測定時の月情報に基づいて補正し、補正後の基準データを前記生体情報評価部が当該生体情報の評価に利用する基準データとして設定する生体情報評価装置。
【請求項６】
被測定者から測定されて第一の記憶部に記憶された生体情報を評価する生体情報評価装置であって、
複数に分割された１日の分割期間毎の生体情報の基準値を示す基準データに基づいて、前記第一の記憶部に記憶された生体情報を評価する生体情報評価部と、
前記生体情報評価部が当該生体情報の評価に用いる前記基準データを制御する基準データ制御部と、を備え、
前記基準データ制御部は、前記被測定者から生体情報を測定する生体情報測定部により測定されて前記第一の記憶部に記憶された７日分の生体情報に基づいて曜日毎に前記基準データを生成し、前記第一の記憶部に記憶された生体情報の測定時の曜日情報に対応する前記基準データを、当該生体情報の測定時の気温情報に基づいて補正し、補正後の基準データを前記生体情報評価部が当該生体情報の評価に利用する基準データとして設定する生体情報評価装置。
【請求項７】
被測定者から測定されて第一の記憶部に記憶された生体情報を評価する生体情報評価方法であって、
複数に分割された１日の分割期間毎の生体情報の基準値を示す基準データに基づいて、前記第一の記憶部に記憶された生体情報を評価する生体情報評価ステップと、
前記生体情報評価ステップにおいて当該生体情報の評価に用いる前記基準データを制御する基準データ制御ステップと、を備え、
前記基準データ制御ステップでは、暦情報と人の属性情報の組み合わせ毎に前記基準データを記憶する第二の記憶部から、前記第一の記憶部に記憶された生体情報の測定時の暦情報と前記被測定者の属性情報との組み合わせに対応する基準データを取得し、取得した基準データを、前記生体情報評価ステップで当該生体情報の評価に利用する基準データとして設定する生体情報評価方法。
【請求項８】
被測定者から測定されて第一の記憶部に記憶された生体情報を評価する生体情報評価プログラムであって、
複数に分割された１日の分割期間毎の生体情報の基準値を示す基準データに基づいて、前記第一の記憶部に記憶された生体情報を評価する生体情報評価ステップと、
前記生体情報評価ステップにおいて当該生体情報の評価に用いる前記基準データを制御する基準データ制御ステップと、を備え、
前記基準データ制御ステップでは、暦情報と人の属性情報の組み合わせ毎に前記基準データを記憶する第二の記憶部から、前記第一の記憶部に記憶された生体情報の測定時の暦情報と前記被測定者の属性情報との組み合わせに対応する基準データを取得し、取得した基準データを、前記生体情報評価ステップで当該生体情報の評価に利用する基準データとして設定する手順をコンピュータに実行させるための生体情報評価プログラム。
【手続補正２】
【補正対象書類名】明細書
【補正対象項目名】０００３
【補正方法】変更
【補正の内容】
【０００３】
ここで、血圧情報、脈拍情報、又は、心拍情報等の生体情報は、日内変動が大きい。このため、血圧情報を例にすると、日本高血圧学会等で規定されている基準血圧値を閾値として設定しても、血圧情報の測定時の状況によっては適切な閾値として機能しない可能性がある。この結果、血圧情報の異常判定に誤りが生じる可能性がある。
【手続補正３】
【補正対象書類名】明細書
【補正対象項目名】００１５
【補正方法】変更
【補正の内容】
【００１５】
本発明の生体情報評価装置は、被測定者から測定されて第一の記憶部に記憶された生体情報を評価する生体情報評価装置であって、複数に分割された１日の分割期間毎の生体情報の基準値を示す基準データに基づいて、前記第一の記憶部に記憶された生体情報を評価する生体情報評価部と、前記生体情報評価部が当該生体情報の評価に用いる前記基準データを制御する基準データ制御部と、を備え、前記基準データ制御部は、暦情報と人の属性情報の組み合わせ毎に前記基準データを記憶する第二の記憶部から、前記第一の記憶部に記憶された生体情報の測定時の暦情報と前記被測定者の属性情報との組み合わせに対応する基準データを取得し、取得した基準データを、前記生体情報評価部が当該生体情報の評価に利用する基準データとして設定するものである。
本発明の生体情報評価装置は、被測定者から測定されて第一の記憶部に記憶された生体情報を評価する生体情報評価装置であって、複数に分割された１日の分割期間毎の生体情報の基準値を示す基準データに基づいて、前記第一の記憶部に記憶された生体情報を評価する生体情報評価部と、前記生体情報評価部が当該生体情報の評価に用いる前記基準データを制御する基準データ制御部と、を備え、前記基準データ制御部は、暦情報と人の属性情報と気温情報の組み合わせ毎に前記基準データを記憶する第二の記憶部から、前記第一の記憶部に記憶された生体情報の測定時の暦情報及び気温情報と前記被測定者の属性情報との組み合わせに対応する基準データを取得し、取得した基準データを、前記生体情報評価部が当該生体情報の評価に利用する基準データとして設定するものである。
本発明の生体情報評価装置は、被測定者から測定されて第一の記憶部に記憶された生体情報を評価する生体情報評価装置であって、複数に分割された１日の分割期間毎の生体情報の基準値を示す基準データに基づいて、前記第一の記憶部に記憶された生体情報を評価する生体情報評価部と、前記生体情報評価部が当該生体情報の評価に用いる前記基準データを制御する基準データ制御部と、を備え、前記基準データ制御部は、前記被測定者から生体情報を測定する生体情報測定部により測定されて前記第一の記憶部に記憶された７日分の生体情報に基づいて曜日毎に前記基準データを生成し、前記第一の記憶部に記憶された生体情報の測定時の曜日情報に対応する前記基準データを、当該生体情報の測定時の月情報に基づいて補正し、補正後の基準データを前記生体情報評価部が当該生体情報の評価に利用する基準データとして設定するものである。
本発明の生体情報評価装置は、被測定者から測定されて第一の記憶部に記憶された生体情報を評価する生体情報評価装置であって、複数に分割された１日の分割期間毎の生体情報の基準値を示す基準データに基づいて、前記第一の記憶部に記憶された生体情報を評価する生体情報評価部と、前記生体情報評価部が当該生体情報の評価に用いる前記基準データを制御する基準データ制御部と、を備え、前記基準データ制御部は、前記被測定者から生体情報を測定する生体情報測定部により測定されて前記第一の記憶部に記憶された７日分の生体情報に基づいて曜日毎に前記基準データを生成し、前記第一の記憶部に記憶された生体情報の測定時の曜日情報に対応する前記基準データを、当該生体情報の測定時の気温情報に基づいて補正し、補正後の基準データを前記生体情報評価部が当該生体情報の評価に利用する基準データとして設定するものである。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
本発明の生体情報評価方法は、被測定者から測定されて第一の記憶部に記憶された生体情報を評価する生体情報評価方法であって、複数に分割された１日の分割期間毎の生体情報の基準値を示す基準データに基づいて、前記第一の記憶部に記憶された生体情報を評価する生体情報評価ステップと、前記生体情報評価ステップにおいて当該生体情報の評価に用いる前記基準データを制御する基準データ制御ステップと、を備え、前記基準データ制御ステップでは、暦情報と人の属性情報の組み合わせ毎に前記基準データを記憶する第二の記憶部から、前記第一の記憶部に記憶された生体情報の測定時の暦情報と前記被測定者の属性情報との組み合わせに対応する基準データを取得し、取得した基準データを、前記生体情報評価ステップで当該生体情報の評価に利用する基準データとして設定するものである。
【手続補正６】
【補正対象書類名】明細書
【補正対象項目名】００１８
【補正方法】変更
【補正の内容】
【００１８】
本発明の生体情報評価プログラムは、被測定者から測定されて第一の記憶部に記憶された生体情報を評価する生体情報評価プログラムであって、複数に分割された１日の分割期間毎の生体情報の基準値を示す基準データに基づいて、前記第一の記憶部に記憶された生体情報を評価する生体情報評価ステップと、前記生体情報評価ステップにおいて当該生体情報の評価に用いる前記基準データを制御する基準データ制御ステップと、を備え、前記基準データ制御ステップでは、暦情報と人の属性情報の組み合わせ毎に前記基準データを記憶する第二の記憶部から、前記第一の記憶部に記憶された生体情報の測定時の暦情報と前記被測定者の属性情報との組み合わせに対応する基準データを取得し、取得した基準データを、前記生体情報評価ステップで当該生体情報の評価に利用する基準データとして設定する手順をコンピュータに実行させるためのものである。